(57)【特許請求の範囲】
【請求項１】
大気中に飛散している塩分を捕獲可能である素材、及び、該素材が張られた枠体を有する複数の飛散塩分捕獲体と、該複数の飛散塩分捕獲体を保持する保持装置とを備え、
前記保持装置は、
前記飛散塩分捕獲体が通過可能な中段上スリットが形成された上板と、前記飛散塩分捕獲体が通過可能な中段下スリットが形成された下板と、前記中段上スリットと前記中段下スリットとの間に設けられ使用中の前記飛散塩分捕獲体を縦向きに収納する中段収納部とを備える中段部と、
前記中段部の上に鉛直な回転軸の周りに回転可能に設けられた上段筐体と、前記上段筐体内に前記回転軸の周りに並べて配され、未使用の前記飛散塩分捕獲体を縦向きに収納する複数の上段収納部とを備え、前記上段筐体における前記上段収納部の下に、前記飛散塩分捕獲体が通過可能な上段スリットが形成された上段部と、
前記中段収納部の下に前記回転軸の周りに前記上段部と共に回転可能に設けられた下段筐体と、前記下段筐体内に前記回転軸の周りに並べて配され、使用済みの前記飛散塩分捕獲体を縦向きに収納する複数の下段収納部とを備え、前記下段筐体における前記下段収納部の上に、前記飛散塩分捕獲体が通過可能な下段スリットが形成された下段部とを備え、
前記上段部と前記下段部とが前記回転軸の周りに回転すると、前記未使用の飛散塩分捕獲体が、前記複数の上段収納部の何れか一から前記中段収納部へ前記上段スリット及び前記中段上スリットを通して落下して、該飛散塩分捕獲体が、前記下段筐体の上に載る第一の状態と、前記使用中の飛散塩分捕獲体が、前記中段収納部から前記複数の下段収納部の何れか一へ前記中段下スリット及び前記下段スリットを通して落下すると共に、前記未使用の飛散塩分捕獲体が、前記上板の上に載る第二の状態とに交互に遷移するように構成されている飛散塩分捕獲装置。
【請求項２】
前記上段部と前記下段部とを前記回転軸の周りに回転させる駆動部と、
前記第一の状態が所定時間維持され、前記第二の状態を経由して前記第一の状態に遷移されて前記所定時間維持されることが繰り返されるように、前記上段部と前記下段部とを前記駆動部により回転させる制御部と
を備える請求項１に記載の飛散塩分捕獲装置。
【請求項３】
前記下板は、前記使用済みの飛散塩分捕獲体を収納した前記下段収納部の上の前記下段スリットを塞ぐように構成されている請求項１又は請求項２に記載の飛散塩分捕獲装置。
【請求項４】
前記上段部の上部に、前記上部を閉塞する上段蓋部が着脱可能に設けられ、
前記下段部の下部に、前記下部を閉塞する下段蓋部が着脱可能に設けられている請求項１から請求項３までの何れか１項に記載の飛散塩分捕獲装置。
【請求項５】
前記保持装置を収容し、前記飛散塩分捕獲体に導風する導風口が設けられた箱を備える請求項１から請求項４までの何れか１項に記載の飛散塩分捕獲装置。
【請求項６】
前記素材又は前記枠体に当該飛散塩分捕獲体を識別するための表示が記されている請求項１から請求項５までの何れか１項に記載の飛散塩分捕獲装置。
【請求項７】
前記枠体の一辺にウエイトが取り付けられている請求項６に記載の飛散塩分捕獲装置。
【発明の詳細な説明】
【技術分野】
【０００１】
本発明は、飛散塩分量を測定するために大気中に飛散している塩分を捕獲する飛散塩分捕獲装置に関する。
【背景技術】
【０００２】
送電系統の絶縁碍子や鉄塔等の海塩粒子による塩害の予測を行うために、大気中に飛散している塩分（以下、単位体積あたりに含まれる塩分を気中塩分量、これに風速を乗じたものを飛散塩分量という）の量（飛散塩分量）を測定する必要があり、そのためには、大気中に飛散している塩分を捕獲する必要がある。ＪＩＳ  Ｚ２３８２で規定されているドライガーゼ法は、窓が空いた木枠にガーゼをはめ込んで雨に濡れない風通しの良い場所に設置し、ガーゼに塩分を含んだ大気を通過させてガーゼに塩分を付着させ、その付着した塩分の量を測定するというものである。【０００３】
また、特許文献１に記載の外気導入装置では、外気を屋外構造物の内部に導入する外気導入部にテープ状の除塩フィルタを設け、この除塩フィルタで塩分を捕獲することで、外気中の塩分が屋外構造物の内部に入ることを防止している。ここで、特許文献１に記載の外気導入装置では、除塩フィルタの新規な面を外気導入部へ送り出し、塩分が付着した面を外気導入部から退避させる機構を設けることで、連続しての塩分の捕獲を可能にしている。
【先行技術文献】
【特許文献】
【０００４】
【特許文献１】特開２０１１−８５５１６号公報
【発明の概要】
【発明が解決しようとする課題】
【０００５】
ところで、百葉箱を鉄塔等の高所に設置してその中に上述のガーゼを設置することにより、高所での飛散塩分量を測定できる。この場合、ガーゼを所定期間毎に交換する必要があるが、交換作業の度に百葉箱を高所で上げたり下したりするのでは作業性が悪い。そのため、高所に設置した百葉箱の中で自動若しくは簡単な操作により、曝露位置において飛散塩分を捕獲するガーゼと未使用のガーゼとを交換できるようにすることが望ましい。なお、特許文献１に記載の送り出し機構を百葉箱内に設置することはこれらの寸法上難しい。【０００６】
本発明は、上記事情に鑑みてなされたものであり、飛散塩分を捕獲する飛散塩分捕獲体の交換を百葉箱の中で自動若しくは簡単な操作により実施できるようにすることを課題とするものである。
【課題を解決するための手段】
【０００７】
本発明に係る飛散塩分捕獲装置は、大気中に飛散している塩分を捕獲可能である素材、及び、該素材が張られた枠体を有する複数の飛散塩分捕獲体と、該複数の飛散塩分捕獲体を保持する保持装置とを備え、前記保持装置は、前記飛散塩分捕獲体が通過可能な中段上スリットが形成された上板と、前記飛散塩分捕獲体が通過可能な中段下スリットが形成された下板と、前記中段上スリットと前記中段下スリットとの間に設けられ使用中の前記飛散塩分捕獲体を縦向きに収納する中段収納部とを備える中段部と、前記中段部の上に鉛直な回転軸の周りに回転可能に設けられた上段筐体と、前記上段筐体内に前記回転軸の周りに並べて配され、未使用の前記飛散塩分捕獲体を縦向きに収納する複数の上段収納部とを備え、前記上段筐体における前記上段収納部の下に、前記飛散塩分捕獲体が通過可能な上段スリットが形成された上段部と、前記中段収納部の下に前記回転軸の周りに前記上段部と共に回転可能に設けられた下段筐体と、前記下段筐体内に前記回転軸の周りに並べて配され、使用済みの前記飛散塩分捕獲体を縦向きに収納する複数の下段収納部とを備え、前記下段筐体における前記下段収納部の上に、前記飛散塩分捕獲体が通過可能な下段スリットが形成された下段部とを備え、前記上段部と前記下段部とが前記回転軸の周りに回転すると、前記未使用の飛散塩分捕獲体が、前記複数の上段収納部の何れか一から前記中段収納部へ前記上段スリット及び前記中段上スリットを通して落下して、該飛散塩分捕獲体が、前記下段筐体の上に載る第一の状態と、前記使用中の飛散塩分捕獲体が、前記中段収納部から前記複数の下段収納部の何れか一へ前記中段下スリット及び前記下段スリットを通して落下すると共に、前記未使用の飛散塩分捕獲体が、前記上板の上に載る第二の状態とに交互に遷移するように構成されている。
【０００８】
前記飛散塩分捕獲装置は、前記上段部と前記下段部とを前記回転軸の周りに回転させる駆動部と、前記第一の状態が所定時間維持され、前記第二の状態を経由して前記第一の状態に遷移されて前記所定時間維持されることが繰り返されるように、前記上段部と前記下段部とを前記駆動部により回転させる制御部とを備えてもよい。【０００９】
前記飛散塩分捕獲体において、前記下板は、前記使用済みの飛散塩分捕獲体を収納した前記下段収納部の上の前記下段スリットを塞ぐように構成されてもよい。【００１０】
前記飛散塩分捕獲体において、前記上段部の上部に、前記上部を閉塞する上段蓋部が着脱可能に設けられ、前記下段部の下部に、前記下部を閉塞する下段蓋部が着脱可能に設けられてもよい。【００１１】
前記飛散塩分捕獲装置は、前記保持装置を収容し、前記飛散塩分捕獲体に導風する導風口が設けられた箱を備えてもよい。【００１２】
前記飛散塩分捕獲装置において、前記素材又は前記枠体に当該飛散塩分捕獲体を識別するための表示が記されてもよい。【００１３】
前記飛散塩分捕獲装置において、前記枠体の一辺にウエイトが取り付けられてもよい。
【発明の効果】
【００１４】
本発明によれば、飛散塩分を捕獲する飛散塩分捕獲体の交換を百葉箱の中で自動若しくは簡単な操作により実施できる。
【図面の簡単な説明】
【００１５】
【図１】一実施形態に係る飛散塩分捕獲装置を示す斜視図である。
【図２】飛散塩分捕獲体を示す正面図である。
【図３】保持装置を示す斜視図である。
【図４】保持装置の内部を示す斜視図である。
【図５】保持装置を示す平面図である。
【図６】図５の６−６断面図である。
【図７】上段部、中段部、及び下段部のそれぞれの平断面図である。
【図８】保持装置の動作を説明するための立断面図である。
【図９】保持装置の動作を説明するための上段部、中段部、及び下段部のそれぞれの平断面図である。
【図１０】保持装置の動作を説明するための立断面図である。
【図１１】保持装置の動作を説明するための上段部、中段部、及び下段部のそれぞれの平断面図である。
【図１２】保持装置の動作を説明するための立断面図である。
【図１３】保持装置の動作を説明するための上段部、中段部、及び下段部のそれぞれの平断面図である。
【図１４】保持装置の動作を説明するための立断面図である。
【図１５】保持装置の動作を説明するための上段部、中段部、及び下段部のそれぞれの平断面図である。
【図１６】保持装置の動作を説明するための立断面図である。
【図１７】保持装置の動作を説明するための上段部、中段部、及び下段部のそれぞれの平断面図である。
【発明を実施するための形態】
【００１６】
以下、図面を参照しながら、本発明を実施するための形態を説明する。図１は、一実施形態に係る飛散塩分捕獲装置１０を示す斜視図である。この図に示すように、飛散塩分捕獲装置１０は、百葉箱１と、百葉箱１内に設置された保持装置１００と、保持装置１００が保持する複数の飛散塩分捕獲体２０とを備えている。百葉箱１は、直方体状の箱であり、四つの側面にガラリ２が設けられている。ガラリ２は、奥側へかけて上側に傾斜する整流板が縦に並んだ構成である。なお、百葉箱１の一の側面を前面といい、該一の側面と対向する面を後面という。また、百葉箱１の前面側を装置前側、百葉箱１の後面側を装置後側といい、百葉箱１の前後方向を装置前後方向という。また、装置前後方向と直交する横方向を装置左右方向という。また、百葉箱１の上面には、保持装置１００を箱内に出し入れするための蓋３が設けられている。この蓋３の一辺がヒンジ（図示省略）を介して百葉箱１の上端の一辺に取り付けられており、蓋３のヒンジとは反対側の一辺と百葉箱１の上端の一辺とが蝶番９で着脱可能に固定されている。
【００１７】
図２は、飛散塩分捕獲体２０を示す正面図である。この図に示すように、飛散塩分捕獲体２０は、通気性を有し、飛散する塩分を捕獲可能である矩形状のガーゼ２２と、ガーゼ２２を保持する矩形状の枠体であるガーゼホルダー２４と、ガーゼホルダー２４に取り付けられたウエイト２６とを備えている。この飛散塩分捕獲体２０では、ガーゼ２２の周縁部がガーゼホルダー２４に取り付けられることで、ガーゼ２２がガーゼホルダー２４の内側に張られている。また、ガーゼホルダー２４は上下左右及び表裏の設置向きが決められており、その向きでガーゼホルダー２４が設置された場合に、ガーゼホルダー２４の下辺となる位置にウエイト２６が取り付けられている。
【００１８】
ここで、ガーゼ２２には、当該ガーゼ２２を識別するための表示である数字が記されている。この数字は使用する順序や使用する月等を特定するものである。即ち、使用する順序を特定する数字の場合は、ガーゼ２２の設置数に応じて１，２，３，４，…となり、使用する月を特定する数字の場合は、例えば、４，５，６，７，…となる。
【００１９】
図３は、保持装置１００を示す斜視図であり、図４は、保持装置１００の内部を示す斜視図である。また、図５は、保持装置１００を示す平面図であり、図６は、図５の６−６断面図である。さらに、図７は、上段部１１０、中段部１２０、及び下段部１３０のそれぞれの平断面図である。
【００２０】
これらの図に示すように、保持装置１００は、未使用の飛散塩分捕獲体２０を装置の上段で保持する上段部１１０と、使用中の飛散塩分捕獲体２０を装置の中段の曝露位置で保持する中段部１２０と、使用済の飛散塩分捕獲体２０を装置の下段で保持する下段部１３０と、これらを支持するフレーム１４０と、上段部１１０及び下段部１３０を移動させる移動機構１５０とを備えている。
【００２１】
フレーム１４０は、縦長の矩形状の側板１４１と、中心角が９０°の扇形状の底板１４２と、半円形状の中段下板１４３と、中心角が９０°の扇形形状の中段上板１４４と、回転軸１４６とを備えている。側板１４１の幅方向一端には、回転軸１４６を回転可能に支持する複数の軸受１４１Ａ、１４１Ｂ、１４１Ｃ、１４１Ｄが設けられている。軸受１４１Ａ、１４１Ｂ、１４１Ｃ、１４１Ｄは、下からこの順番で等間隔に配されている。
【００２２】
軸受１４１Ａは、側板１４１の下端と底板１４２の角部（扇形の一対の半径の交差部）とに一体化されており、底板１４２は、軸受１４１Ａを介して側板１４１の下端に結合されている。また、軸受１４１Ｂは、側板１４１の高さ方向の中間部と中段下板１４３の中心（半円の中心）とに一体化されており、中段下板１４３は、軸受１４１Ｂを介して側板１４１の高さ方向の中間部に結合されている。また、軸受１４１Ｃは、側板１４１の高さ方向の中間部と中段上板１４４の角部（扇形の一対の半径の交差部）とに一体化されており、中段上板１４４は、軸受１４１Ｃを介して側板１４１の高さ方向の中間部に結合されている。さらに、軸受１４１Ｄは、側板１４１の上端と一体化されている。
【００２３】
上段部１１０は、筐体１１２と、筐体１１２内に配された複数（本実施形態では３組）の保持枠１１４とを備えている。筐体１１２の上板１１２Ａ及び底板１１２Ｂの形状は、中心角が９０°の扇形である。上板１１２Ａ及び底板１１２Ｂの角部（扇形の一対の半径の交差部）には、軸受１１２Ｃが設けられており、この軸受１１２Ｃが回転軸１４６に固定されている。また、上板１１２Ａは、筐体１１２の扇形の側壁１１２Ｄの上端に着脱可能に設けられている。
【００２４】
各保持枠１１４は、底板１１２Ｂに立てられた一対のガイドレール１１４Ａを備える。この一対のガイドレール１１４Ａは、縦方向の断面形状がコ字状の縦長の部材であり、底板１１２Ｂの半径方向に並べて、互いに溝が対向するように配されており、両側の溝の間に飛散塩分捕獲体２０が嵌め込まれている。また、複数の保持枠１１４は、回転軸１４６の周りに所定間隔（本実施形態では３０°）で配されている。
【００２５】
底板１１２Ｂには、飛散塩分捕獲体２０を中段部１２０へ落下させるためのスリット１１２Ｅ（図６参照）が形成されている。このスリット１１２Ｅは、各保持枠１１４の一対のガイドレール１１４Ａの間に配されている。
【００２６】
中段部１２０は、上述の中段下板１４３及び中段上板１４４と、中段下板１４３と中段上板１４４との間に配された保持枠１２４とを備えている。ここで、中段下板１４３を周方向に（装置前側と後側とに）二分したその一方（装置後側）の範囲と中段上板１４４とが上下に重なるように、中段下板１４３と中段上板１４４とが配されている。
【００２７】
保持枠１２４は、中段下板１４３と中段上板１４４とに上下両端を結合された一対のガイドレール１２４Ａを備える。この一対のガイドレール１２４Ａは、縦方向の断面形状がコ字状の縦長の部材であり、中段下板１４３及び中段上板１４４の半径方向に並べて、互いに溝が対向するように配されており、両側の溝の間に飛散塩分捕獲体２０が嵌め込まれている。また、保持枠１２４は、中段下板１４３の周方向の中央側に寄せて配されている。
【００２８】
中段下板１４３には、飛散塩分捕獲体２０を下段部１３０へ落下させるためのスリット１４３Ｂ（図６参照）が形成されている。このスリット１４３Ｂは、保持枠１２４の一対のガイドレール１２４Ａの間に配されている。また、中段上板１４４には、飛散塩分捕獲体２０を上段部１１０から中段部１２０へ落下させるためのスリット１４４Ｂが形成されている。このスリット１４４Ｂは、保持枠１２４の一対のガイドレール１２４Ａの間に配されている。
【００２９】
下段部１３０は、筐体１３２と、筐体１３２内に配された複数（本実施形態では３組）の保持枠１３４とを備えている。筐体１３２の上板１３２Ａ及び底板１３２Ｂの形状は、中心角が９０°の扇形である。上板１３２Ａの角部（扇形の一対の半径の交差部）には、軸受１３２Ｃ（図４参照）が設けられ、底板１３２Ｂの角部（扇形の一対の半径の交差部）には、ギア１３２Ｄが設けられており、軸受１３２Ｃ及びギア１３２Ｄが回転軸１４６に固定されている。また、上板１３２Ａは、筐体１３２の扇形の側壁１３２Ｅの下端に着脱可能に設けられている。
【００３０】
各保持枠１３４は、底板１３２Ｂに立てられた一対のガイドレール１３４Ａを備える。この一対のガイドレール１３４Ａは、縦方向の断面形状がコ字状の縦長の部材であり、底板１３２Ｂの半径方向に並べて、互いに溝が対向するように配されており、両側の溝の間に飛散塩分捕獲体２０が嵌め込まれている。また、複数の保持枠１３４は、回転軸１４６の周りに所定間隔（本実施形態では３０°）で配されている。
【００３１】
上板１３２Ａには、飛散塩分捕獲体２０を中段部１２０から下段部１３０へ落下させるためのスリット１３２Ｆ（図６参照）が形成されている。このスリット１３２Ｆは、各保持枠１３４の一対のガイドレール１３４Ａの間に配されている。
【００３２】
ここで、回転軸１４６は、側板１４１に回転可能に支持され、この回転軸１４６に上段部１１０と下段部１３０とが固定されているのに対して、中段部１２０は、側板１４１に固定されている。これにより、上段部１１０と下段部１３０とは、回転軸１４６の周りに一斉に同じ速度で回転でき、これらが回転している際、中段部１２０は、定位置で停止する。
【００３３】
移動機構１５０は、側板１４１に取り付けられたモータ１５２と、モータ１５２を制御するモータ制御装置１５４（図４参照）とを備えている。モータ１５２の出力軸は、回転軸１４６と平行であり、該出力軸に取り付けられたギア１５２Ａが、下段部１３０のギア１３２Ｄと噛み合っている。これにより、モータ制御装置１５４によりモータ１５２が駆動されると、上段部１１０及び下段部１３０が回転軸１４６の周りに回転する。
【００３４】
図６に示すように、上段部１１０の３組の保持枠１１４及びスリット１１２Ｅは、回転方向に等間隔（例えば、３０°間隔）で配され、下段部１３０の３組の保持枠１３４及びスリット１３２Ｆは、回転方向に等間隔（例えば、３０°間隔）で配されている。また、上段部１１０の３組の保持枠１１４及びスリット１１２Ｅの回転方向の間隔と、下段部１３０の３組の保持枠１３４及びスリット１３２Ｆの回転方向の間隔とは、同一である。
【００３５】
上段部１１０の３組の保持枠１１４及びスリット１１２Ｅの回転方向の位置と、下段部１３０の３組の保持枠１３４及びスリット１３２Ｆの回転方向の位置とは、前者が後者よりも時計回り方向にずれるように配されている。この両者のずれ量は、スリット１１２Ｅとスリット１３２Ｆとの回転軸１４６から遠い側の端部が上下に重ならないように設定されている。これにより、飛散塩分捕獲体２０が、上段部１１０の保持枠１１４からスリット１１２Ｅ、１４４Ｂを通して中段部１２０の保持枠１２４内に落下した際に、該飛散塩分捕獲体２０が、下段部１３０の上板１３２Ａに乗ることで中段部１２０に留まる。
【００３６】
ここで、モータ１５２は、タイマ機能付きのモータ制御装置１５４によって所定期間（例えば、１か月間）おきに駆動され、上段部１１０及び下段部１３０を回転軸１４６の回りに回転させる。以下、保持装置１００の動作について説明する。
【００３７】
図６〜図１７は、保持装置１００の動作を説明するための立断面図又は平断面図である。まず、図６の立断面図及び図７の平断面図に示すように、上段部１１０の装置後側の２列の保持枠１１４と、中段部１２０の保持枠１２４とに未使用の飛散塩分捕獲体２０が収納される。中段部１２０の飛散塩分捕獲体２０のガーゼ２２は、曝露されて飛散塩分を捕獲する。
【００３８】
次に、所定期間経過後にモータ１５２が駆動され、図８の立断面図及び図９の平断面図に示すように、下段部１３０の装置前側（最前列）のスリット１３２Ｆが中段部１２０の飛散塩分捕獲体２０の位置まで移動される。この際、中段部１２０の使用済みの飛散塩分捕獲体２０が、スリット１４３Ｂ及び最前列のスリット１３２Ｆを通して下段部１３０の最前列の保持枠１３４内に落下する。
【００３９】
そしてさらにモータ１５２が駆動され、図１０の立断面図及び図１１の平断面図に示すように、上段部１１０の２列目の保持枠１１４が中段部１２０の保持枠１２４上まで移動される。この際、上段部１１０の２列目の未使用の飛散塩分捕獲体２０が、上段部１１０の２列目のスリット１１２Ｅと中段部１２０のスリット１４４Ｂとを通して中段部１２０の保持枠１２４内に落下する。ここで、下段部１３０の２列目のスリット１３２Ｆが、中段部１２０のスリット１４３Ｂよりも装置後側に位置することにより、２列目の未使用の飛散塩分捕獲体２０が、下段部１３０の上板１３２Ａ上に乗る。これにより、２列目の飛散塩分捕獲体２０が、中段部１２０の保持枠１２４に収納され、該飛散塩分捕獲体２０のガーゼ２２が、曝露されて飛散塩分を捕獲する。
【００４０】
次に、所定期間経過後にモータ１５２が駆動され、図１２の立断面図及び図１３の平断面図に示すように、下段部１３０の２列目のスリット１３２Ｆが中段部１２０の飛散塩分捕獲体２０の位置まで移動される。この際、中段部１２０の使用済みの飛散塩分捕獲体２０が、スリット１４３Ｂ及び２列目のスリット１３２Ｆを通して下段部１３０の２列目の保持枠１３４内に落下する。
【００４１】
そしてさらにモータ１５２が駆動され、図１４の立断面図及び図１５の平断面図に示すように、上段部１１０の３列目の保持枠１１４が中段部１２０の保持枠１２４上まで移動される。この際、上段部１１０の３列目の未使用の飛散塩分捕獲体２０が、上段部１１０の３列目のスリット１１２Ｅと中段部１２０のスリット１４４Ｂとを通して中段部１２０の保持枠１２４内に落下する。ここで、下段部１３０の３列目のスリット１３２Ｆが、中段部１２０のスリット１４３Ｂよりも装置後側に位置することにより、３列目の未使用の飛散塩分捕獲体２０が、下段部１３０の上板１３２Ａ上に乗る。これにより、３列目の飛散塩分捕獲体２０が、中段部１２０の保持枠１２４に収納され、該飛散塩分捕獲体２０のガーゼ２２が、曝露されて飛散塩分を捕獲する。
【００４２】
次に、所定期間経過後にモータ１５２が駆動され、図１６の立断面図及び図１７の平断面図に示すように、下段部１３０の３列目のスリット１３２Ｆが中段部１２０の飛散塩分捕獲体２０の位置まで移動される。この際、中段部１２０の使用済みの飛散塩分捕獲体２０が、スリット１４３Ｂ及び３列目のスリット１３２Ｆを通して下段部１３０の３列目の保持枠１３４内に落下する。
【００４３】
以上説明したように、本実施形態に係る飛散塩分捕獲装置１０は、大気中に飛散している塩分を捕獲可能であるガーゼ２２、及び、ガーゼ２２が張られたガーゼホルダー２４を有する複数の飛散塩分捕獲体２０と、複数の飛散塩分捕獲体２０を保持する保持装置１００とを備える。この保持装置１００は、中段部１２０と、中段部１２０の上下に鉛直な回転軸１４６の周りに互いに一緒に回転可能に設けられた上段部１１０及び下段部１３０とを備える。
【００４４】
中段部１２０は、中段上板１４４と、中段下板１４３と、これらの間に設けられた保持枠１２４とを備える。中段上板１４４と中段下板１４３とにはそれぞれ、飛散塩分捕獲体２０が通過可能なスリット１４４Ｂ、１４３Ｂが形成され、保持枠１２４は、上下のスリット１４４Ｂ、１４３Ｂの間に設けられて使用中の飛散塩分捕獲体２０を縦向きに収納する。
【００４５】
上段部１１０は、未使用の飛散塩分捕獲体２０を収納する複数の保持枠１１４を備える。この複数の保持枠１１４は回転軸１４６の周りに並べて配されており、各保持枠１１４の下には、飛散塩分捕獲体２０が通過可能なスリット１１２Ｅが形成されている。
【００４６】
下段部１３０は、使用済の飛散塩分捕獲体２０を収納する複数の保持枠１３４を備える。この複数の保持枠１３４は回転軸１４６の周りに並べて配されており、各保持枠１３４の上には、飛散塩分捕獲体２０が通過可能なスリット１３２Ｆが形成されている。
【００４７】
ここで、保持装置１００は、上段部１１０と下段部１３０とが回転軸１４６の周りに一緒に回転すると、未使用の飛散塩分捕獲体２０が、上段部１１０の複数の保持枠１１４の何れか一から中段部１２０の保持枠１２４へスリット１１２Ｅ、１４４Ｂを通して落下して、該飛散塩分捕獲体２０が、下段部１３０の上に載る第一の状態と、使用中の飛散塩分捕獲体２０が、中段部１２０の保持枠１２４からか下段部１３０の複数の保持枠１３４の何れか一へスリット１４３Ｂ、１３２Ｆを通して落下すると共に、未使用の飛散塩分捕獲体２０が、中段上板１４４の上に載る第二の状態とに交互に遷移するように構成されている。
【００４８】
これによって、複数の未使用の飛散塩分捕獲体２０を上段部１１０に収納しておき、上段部１１０と下段部１３０とを所定量ずつ回転させるという簡単な操作により、装置前側から順番に未使用の飛散塩分捕獲体２０を上段部１１０から中段部１２０へ落下させて所定期間曝露状態とし、使用済の飛散塩分捕獲体２０については、装置前側から順番に下段部１３０へ落下させて下段部１３０に収納することができる。従って、飛散塩分を捕獲するガーゼ２２の交換を百葉箱１の中で簡単に実施できる。
【００４９】
また、本実施形態に係る飛散塩分捕獲装置１０では、前記第一の状態が所定時間（例えば１か月間）維持され、前記第二の状態を経由して前記第一の状態に遷移されて前記所定時間維持されることが繰り返されるように、上段部１１０と下段部１３０とを回転軸１４６の周りに回転させる移動機構１５０を備える。従って、飛散塩分を捕獲するガーゼ２２の交換を、百葉箱１の中で自動で実施できる。
【００５０】
また、本実施形態に係る飛散塩分捕獲装置１０では、中段下板１４３が、使用済みの飛散塩分捕獲体２０を収納した保持枠１３４の上のスリット１３２Ｆを塞ぐように構成されている。これによって、使用済みの飛散塩分捕獲体２０を密封空間で保管できる。
【００５１】
また、本実施形態に係る飛散塩分捕獲装置１０では、上段部１１０の上部に、該上部を閉塞する上板１１２Ａが着脱可能に設けられ、下段部１３０の下部に、該下部を閉塞する底板１３２Ｂが着脱可能に設けられている。これによって、上段部１１０や下段部１３０に飛散塩分が侵入してガーゼ２２に付着することを防止できる。また、未使用の飛散塩分捕獲体２０を上段部１１０に挿入でき、使用済の飛散塩分捕獲体２０を下段部１３０から取り出すことができる。
【００５２】
また、本実施形態に係る飛散塩分捕獲体２０には、各々を識別するための表示が記されている。この表示は、曝露位置に置かれて飛散塩分を捕獲するのに使用される月等である。よって、使用済の飛散塩分捕獲体２０の管理を容易化できる。さらに、本実施形態に係る飛散塩分捕獲体２０のガーゼホルダー２４の一辺にウエイト２６が取り付けられていることにより、この一辺を下にして飛散塩分捕獲体２０を上段部１１０に挿入することで、飛散塩分捕獲体２０が、上段部１１０から中段部１２０へ、中段部１２０から下段部１３０へ落下し易くなる。
【００５３】
以上、本発明を実施するための形態について説明したが、上記実施形態は本発明の理解を容易にするためのものであり、本発明を限定して解釈するためのものではない。本発明はその趣旨を逸脱することなく変更、改良され得るとともに、本発明にはその等価物も含まれる。例えば、上記実施形態では、上段部１１０と下段部１３０とが移動機構１５０により自動で移動されるように構成したが、上段部１１０と下段部１３０とは手動で移動させてもよい。また、移動機構１５０は、ラック・アンド・ピニオン機構や、ボールネジを用いた機構等の他の機構にしてもよい。また、飛散塩分捕獲体２０を交換するための蓋を設ける位置は上述の構成に限られず、例えば、中段下板１４３を着脱可能にする等してもよい。さらに、飛散塩分捕獲体２０のガーゼ２２に識別表示を記したが、ガーゼホルダー２４に識別表示を記してもよい。
【符号の説明】
【００５４】
１  百葉箱、２  ガラリ、３  蓋、９  蝶番、１０  飛散塩分捕獲装置、２０  飛散塩分捕獲体、２２  ガーゼ、２４  ガーゼホルダー、２６  ウエイト、１００  保持装置、１１０  上段部、１１２  筐体、１１２Ａ  上板、１１２Ｂ  底板、１１２Ｃ  軸受、１１２Ｄ  側壁、１１２Ｅ  スリット、１１４  保持枠、１１４Ａ  ガイドレール、１２０  中段部、１２４  保持枠、１２４Ａ  ガイドレール、１３０  下段部、１３２  筐体、１３２Ａ  上板、１３２Ｂ  底板、１３２Ｃ  軸受、１３２Ｄ  ギア、１３２Ｅ  側壁、１３２Ｆ  スリット、１３４  保持枠、１３４Ａ  ガイドレール、１４０  フレーム、１４１  側板、１４１Ａ  軸受、１４１Ｂ  軸受、１４１Ｃ  軸受、１４１Ｄ  軸受、１４２  底板、１４３  中段下板、１４３Ｂ  スリット、１４４  中段上板、１４４Ｂ  スリット、１４６  回転軸、１５０  移動機構、１５２  モータ、１５２Ａ  ギア、１５４  モータ制御装置
【要約】
【課題】飛散塩分を捕獲するガーゼの交換を百葉箱の中で自動若しくは簡単な操作により実施できるようにする。
【解決手段】保持装置１００は、上段部１１０と下段部１３０とが回転軸１４６の周りに一緒に回転すると、未使用の飛散塩分捕獲体２０が、上段部１１０の複数の保持枠１１４の何れか一から中段部１２０の保持枠１２４へスリット１１２Ｅ、１４４Ｂを通して落下して、該飛散塩分捕獲体２０が、下段部１３０の上に載る第一の状態と、使用中の飛散塩分捕獲体２０が、中段部１２０の保持枠１２４からか下段部１３０の複数の保持枠１３４の何れか一へスリット１４３Ｂ、１３２Ｆを通して落下すると共に、未使用の飛散塩分捕獲体２０が、中段上板１４４の上に載る第二の状態とに交互に遷移するように構成されている。【図１】
0005956101.tif 000002
【図２】
0005956101.tif 000003
【図３】
0005956101.tif 000004
【図４】
0005956101.tif 000005
【図５】
0005956101.tif 000006
【図６】
0005956101.tif 000007
【図７】
0005956101.tif 000008
【図８】
0005956101.tif 000009
【図９】
0005956101.tif 000010
【図１０】
0005956101.tif 000011
【図１１】
0005956101.tif 000012
【図１２】
0005956101.tif 000013
【図１３】
0005956101.tif 000014
【図１４】
0005956101.tif 000015
【図１５】
0005956101.tif 000016
【図１６】
0005956101.tif 000017
【図１７】
0005956101.tif 000018